(57)【要約】【課題】交換や清掃および調整などのメンテナンス項目に対するメンテナンスを実施した後に必要なサブメンテナンス項目に対するメンテナンスの実施忘れを未然に防止することができる画像形成システムを提供する。【解決手段】画像形成装置本体１０と、それに接続された折り装置５００、製本装置６００およびフィニッシャ７００とから構成される画像形成システムにおいては、複数のメンテナンス項目と該複数のメンテナンス項目に関連するサブメンテナンス項目とを示すテーブルを保持し、複数のメンテナンス項目の中から選択されたメンテナンス項目のメンテナンスが終了すると、上記テーブルを参照して選択されたメンテナンス項目に関連するサブメンテナンス項目があるか否かを判定し、選択されたメンテナンス項目に関連するサブメンテナンス項目があると、該サブメンテナンス項目を操作表示装置４００に表示する。【選択図】　　　図１
2004147173.tif 000002
【特許請求の範囲】
【請求項１】
用紙上に画像を形成し、該用紙に対して後処理を施すことが可能な画像形成システムであって、
複数のメンテナンス項目と各メンテナンス項目に関連するサブメンテナンス項目とを記憶する記憶手段と、
前記複数のメンテナンス項目の中から選択されたメンテナンス項目のメンテナンスが終了したか否かを判定する第１の判定手段と、
前記第１の判定手段により前記選択されたメンテナンス項目のメンテナンスが終了したと判定された場合、前記記憶手段を参照して前記選択されたメンテナンス項目に関連するサブメンテナンス項目があるか否かを判定する第２の判定手段と、
前記第２の判定手段により前記選択されたメンテナンス項目に関連するサブメンテナンス項目があると判定された場合、該サブメンテナンス項目を表示する表示手段と
を有することを特徴とする画像形成システム。
【請求項２】
前記サブメンテナンス項目とは、前記メンテナンス項目のメンテナンス終了後に行う必要があるメンテナンス項目であることを特徴とする請求項１記載の画像形成システム。
【請求項３】
画像形成動作中にメンテナンスを実行する場合、前記サブメンテナンス項目の表示を画像形成動作終了後に行うか、メンテナンス終了後に行うかを選択する選択手段を有することを特徴とする請求項１記載の画像形成システム。
【請求項４】
非画像形成動作中にメンテナンスを実行する場合、メンテナンス終了後に前記サブメンテナンス項目の表示を行うことを特徴とする請求項１記載の画像形成システム。
【請求項５】
ユーザによりメンテナンス終了を入力する入力手段を有し、前記第１の判定手段は、前記入力手段を介して前記ユーザによってメンテナンス終了の入力があると、前記メンテナンスが終了したと判定することを特徴とする請求項１記載の画像形成システム。
【請求項６】
異なる動作をそれぞれ行う複数の処理モジュールを備える画像形成システムであって、
前記処理モジュール毎にそのメンテナンス項目と該メンテナンス項目に関連するサブメンテナンス項目とを記憶する記憶手段と、
前記複数の処理モジュールのメンテナンス項目の中から選択された処理モジュールのメンテナンス項目のメンテナンスが終了したか否かを判定する第１の判定手段と、
前記第１の判定手段により前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定手段と、
前記第２の判定手段により前記選択された処理モジュールのメンテナンス項目に関連するサブメンテナンス項目があると判定された場合、該サブメンテナンス項目を表示する表示手段と
を有することを特徴とする画像形成システム。
【請求項７】
複数のメンテナンス項目と各メンテナンス項目に関連するサブメンテナンス項目とを記憶する記憶手段を備え、用紙上に画像を形成し、該用紙に対して後処理を施すことが可能な画像形成システム上で実行されるプログラムであって、
前記複数のメンテナンス項目の中から選択されたメンテナンス項目のメンテナンスが終了したか否かを判定する第１の判定手ステップと、
前記第１の判定ステップにより前記選択されたメンテナンス項目のメンテナンスが終了したと判定された場合、前記記憶手段を参照して前記選択されたメンテナンス項目に関連するサブメンテナンス項目があるか否かを判定する第２の判定ステップと、
前記第２の判定ステップにより前記選択されたメンテナンス項目に関連するサブメンテナンス項目があると判定された場合、該サブメンテナンス項目を表示手段に表示する表示ステップと
を有することを特徴とするプログラム。
【請求項８】
前記サブメンテナンス項目とは、前記メンテナンス項目のメンテナンス終了後に行う必要があるメンテナンス項目であることを特徴とする請求項７記載のプログラム。
【請求項９】
画像形成動作中にメンテナンスを実行する場合、前記サブメンテナンス項目の表示を画像形成動作終了後に行うか、メンテナンス終了後に行うかを選択する選択ステップを有することを特徴とする請求項７記載のプログラム。
【請求項１０】
非画像形成動作中にメンテナンスを実行する場合、メンテナンス終了後に前記サブメンテナンス項目の表示を行うことを特徴とする請求項７記載のプログラム。
【請求項１１】
ユーザによりメンテナンス終了を入力する入力ステップを有し、前記第１の判定ステップでは、前記入力ステップで前記ユーザによってメンテナンス終了の入力があると、前記メンテナンスが終了したと判定することを特徴とする請求項７記載のプログラム。
【請求項１２】
異なる動作をそれぞれ行う複数の処理モジュールと、前記処理モジュール毎にそのメンテナンス項目と該メンテナンス項目に関連するサブメンテナンス項目とを記憶する記憶手段とを備え、前記複数の処理モジュールのうち、ジョブ実行中に該ジョブに使用されていない処理モジュールに対してメンテナンスを行うことが可能な画像形成システム上で実行されるプログラムであって、
前記複数の処理モジュールのメンテナンス項目の中から選択された処理モジュールのメンテナンス項目のメンテナンスが終了したか否かを判定する第１の判定ステップと、
前記第１の判定ステップにより前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定ステップと、
前記第２の判定ステップにより前記選択された処理モジュールのメンテナンス項目に関連するサブメンテナンス項目があると判定された場合、該サブメンテナンス項目を表示手段に表示する表示ステップと
を有することを特徴とするプログラム。
【発明の詳細な説明】
【０００１】
【発明の属する技術分野】
本発明は、用紙上に画像を形成し、該用紙に対して後処理を施すことが可能な画像形成システムおよびプログラムに関する。
【０００２】
【従来の技術】
従来、複写機などの画像形成装置にフィニッシャなどの後処理装置を接続し、束排出処理、綴じ処理、折り処理、製本処理など、ユーザが所望する様々な後処理を行うことが可能な画像形成システムが提供されている。ここで、束排出処理、綴じ処理、折り処理、製本処理などユーザが必要とする全ての後処理を１つのシステムで可能にするには、各処理を専用に行う複数の後処理装置を画像形成装置と重連に接続することで達成することが可能である。
【０００３】
このような画像形成システムにおいては、ユーザがジャム処理を行う場合や、サービスマンが部品交換、調整、清掃などのメンテナンスを行う場合、ユーザまたはサービスマンなどの作業者が装置内部にアクセス可能なように画像形成装置および後処理装置の各装置の外装には開閉可能なカバーが設けられている。
【０００４】
上記カバーが設けられている従来の画像形成装置の一例について図２３を参照しながら説明する。図２４は従来の画像形成装置の主要部構成を示す縦断面図である。
【０００５】
従来の画像形成装置は、図２４に示すように、電子写真方式により用紙上に画像を形成するプリンタ３００を備える。プリンタ３００は、ポリゴンミラー１１０ａを含む露光制御部１１０と、感光ドラム１１１と、現像器１１３と、転写部１１６と、定着部１１７と、フラッパ１２１と、排出ローラ１１８と、反転パス１２２と、両面搬送パス１２４と、２つのカセット１１４，１１５と、手差給紙部１２５とを有する。カセット１１４，１１５、手差給紙部１２５または両面搬送パス１２４からは用紙が給紙され、この用紙は感光ドラム１１１と転写部１１６との間に搬送される。そして、感光ドラム１１１に形成された現像剤像が転写部１１６により給紙された用紙上に転写され、用紙に転写された現像剤像は定着部１１７において用紙上に定着される。
【０００６】
ここで、画像形成装置には、用紙を搬送する複数の搬送路（各カセット１１４，１１５から感光ドラム１１１へ至る用紙の搬送路、用紙を機外へ排出するための搬送路、反転パス１２２、両面搬送パス１２４などを含む）の全てに機外からアクセス可能にするためのカバー３５１が開閉可能に設けられている。このカバー３５１は、通常の画像形成動作中には開けられないものであり、非動作中にジャム処理やメンテナンスなどのために開けられるものである。よって、画像形成動作中にカバー３５１が開けられると、異常な状態が発生したと判断して、全ての動作を停止する。
【０００７】
また、後処理装置にも、上記画像形成装置と同様のカバーが設けられている。
【０００８】
また、画像形成装置または後処理装置に対するメンテナンスの管理方法として、メンテナンス項目を時系列に設定し、画像形成装置などの現時点までのメンテナンス作業回数に基づき各メンテナンス項目が適切に実施されるようにメンテナンス項目を設定することにより、メンテナンスを管理するものがある（例えば、特開平０９−０９０８２６号公報参照）。
【０００９】
【特許文献１】
特開平０９−０９０８２６号公報
【００１０】
【発明が解決しようとする課題】
しかしながら、上述の画像形成システムでは、全ての用紙が同じ搬送路を通過するとは限らず、ユーザの設定次第で、用紙が通過する搬送路が異なる場合がある。例えば、画像形成装置の場合、片面モードと両面モードでは用紙の搬送路が異なり、後処理装置の場合、綴じモード、折りモード、製本モードのそれぞれのモード間で用紙の搬送路が異なる。よって、それぞれでの搬送路での通紙枚数が異なり、システムの各装置や各搬送路によってメンテナンスのタイミングが異なることになる。また、メンテナンスのうち、部品交換を例に取ると、通紙枚数が同じでも部品自身の耐久枚数が異なるため、システムの各装置や各搬送路によってメンテナンスのタイミングが異なる。
【００１１】
従って、従来のような構成のシステムでは、メンテナンスのためにカバーを開けると、システム全体を停止させる必要がある。また、後処理装置が重連接続されているシステムの場合、システム全体を止めずに後処理装置のメンテナンスを行うことは可能であるが、この場合、メンテナンスを行う装置のみをシステムから取り外し、移動させる必要があるとともに、この装置の取り外しに伴い、システム全体の制御を行うコントロール部により、接続されている後処理装置を認識するために、再度初期化動作を行うことが必要になる。
【００１２】
このように、従来の画像形成システムにおいては、様々なタイミングでメンテナンスを行う必要があり、それぞれのメンテナンスを実行する際には、システム全体の停止、または装置の取り外し、それに伴う再初期化動作などが発生する。その結果、メンテナンスによって、システムの稼働時間が減少し、システムの稼働効率が低下する。
【００１３】
本発明の目的は、交換や清掃および調整などのメンテナンス項目に対するメンテナンスを実施した後に必要なサブメンテナンス項目に対するメンテナンスの実施忘れを未然に防止することができる画像形成システムおよびプログラムを提供することにある。
【００１４】
【課題を解決するための手段】
本発明は、上記目的を達成するため、用紙上に画像を形成し、該用紙に対して後処理を施すことが可能な画像形成システムであって、複数のメンテナンス項目と各メンテナンス項目に関連するサブメンテナンス項目とを記憶する記憶手段と、前記複数のメンテナンス項目の中から選択されたメンテナンス項目のメンテナンスが終了したか否かを判定する第１の判定手段と、前記第１の判定手段により前記選択されたメンテナンス項目のメンテナンスが終了したと判定された場合、前記記憶手段を参照して前記選択されたメンテナンス項目に関連するサブメンテナンス項目があるか否かを判定する第２の判定手段と、前記第２の判定手段により前記選択されたメンテナンス項目に関連するサブメンテナンス項目があると判定された場合、該サブメンテナンス項目を表示する表示手段とを有することを特徴とする。
【００１５】
上記画像形成システムにおいて、前記サブメンテナンス項目とは、前記メンテナンス項目のメンテナンス終了後に行う必要があるメンテナンス項目であることを特徴とする。
【００１６】
上記画像形成システムにおいて、画像形成動作中にメンテナンスを実行する場合、前記サブメンテナンス項目の表示を画像形成動作終了後に行うか、メンテナンス終了後に行うかを選択する選択手段を有することを特徴とする。
【００１７】
上記画像形成システムにおいて、非画像形成動作中にメンテナンスを実行する場合、メンテナンス終了後に前記サブメンテナンス項目の表示を行うことを特徴とする。
【００１８】
上記画像形成システムにおいて、ユーザによりメンテナンス終了を入力する入力手段を有し、前記第１の判定手段は、前記入力手段を介して前記ユーザによってメンテナンス終了の入力があると、前記メンテナンスが終了したと判定することを特徴とする。
【００１９】
また、本発明は、上記目的を達成するため、異なる動作をそれぞれ行う複数の処理モジュールを備える画像形成システムであって、前記処理モジュール毎にそのメンテナンス項目と該メンテナンス項目に関連するサブメンテナンス項目とを記憶する記憶手段と、前記複数の処理モジュールのメンテナンス項目の中から選択された処理モジュールのメンテナンス項目のメンテナンスが終了したか否かを判定する第１の判定手段と、前記第１の判定手段により前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定手段と、前記第２の判定手段により前記選択された処理モジュールのメンテナンス項目に関連するサブメンテナンス項目があると判定された場合、該サブメンテナンス項目を表示する表示手段とを有することを特徴とする。
【００２０】
また、本発明は、上記目的を達成するため、複数のメンテナンス項目と各メンテナンス項目に関連するサブメンテナンス項目とを記憶する記憶手段を備え、用紙上に画像を形成し、該用紙に対して後処理を施すことが可能な画像形成システム上で実行されるプログラムであって、前記複数のメンテナンス項目の中から選択されたメンテナンス項目のメンテナンスが終了したか否かを判定する第１の判定手ステップと、前記第１の判定ステップにより前記選択されたメンテナンス項目のメンテナンスが終了したと判定された場合、前記記憶手段を参照して前記選択されたメンテナンス項目に関連するサブメンテナンス項目があるか否かを判定する第２の判定ステップと、前記第２の判定ステップにより前記選択されたメンテナンス項目に関連するサブメンテナンス項目があると判定された場合、該サブメンテナンス項目を表示手段に表示する表示ステップとを有することを特徴とする。
【００２１】
また、本発明は、上記目的を達成するため、異なる動作をそれぞれ行う複数の処理モジュールと、前記処理モジュール毎にそのメンテナンス項目と該メンテナンス項目に関連するサブメンテナンス項目とを記憶する記憶手段とを備え、前記複数の処理モジュールのうち、ジョブ実行中に該ジョブに使用されていない処理モジュールに対してメンテナンスを行うことが可能な画像形成システム上で実行されるプログラムであって、前記複数の処理モジュールのメンテナンス項目の中から選択された処理モジュールのメンテナンス項目のメンテナンスが終了したか否かを判定する第１の判定ステップと、前記第１の判定ステップにより前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定ステップと、前記第２の判定ステップにより前記選択された処理モジュールのメンテナンス項目に関連するサブメンテナンス項目があると判定された場合、該サブメンテナンス項目を表示手段に表示する表示ステップとを有することを特徴とする。
【００２２】
【発明の実施の形態】
以下、本発明の実施形態について図面を参照しながら説明する。
【００２３】
図１は本発明の一実施形態に係る画像形成システムの主要部構成を示す縦断面図である。
【００２４】
画像形成システムは、図１に示すように、画像形成装置本体１０と、折り装置５００と、製本装置６００と、フィニッシャ７００とから構成され、画像形成装置本体１０は、原稿画像を読み取るイメージリーダ２００、プリンタ３００および操作表示装置４００を備える。
【００２５】
イメージリーダ２００には、原稿給送装置１００が搭載されている。原稿給送装置１００は、原稿トレイ上に上向きにセットされた原稿を先頭頁から順に１枚ずつ左方向へ給紙し、湾曲したパスを介してプラテンガラス１０２上を左から流し読取り位置を経て右へ搬送し、その後外部の排紙トレイ１１２に向けて排出する。この原稿がプラテンガラス１０２上の流し読取り位置を左から右へ向けて通過するときに、この原稿画像は流し読取り位置に対応する位置に保持されたスキャナユニット１０４により読み取られる。この読取り方法は、一般的に、原稿流し読みと呼ばれる方法である。具体的には、原稿が流し読取り位置を通過する際に、原稿の読取り面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【００２６】
このように流し読取り位置を左から右へ通過するように原稿を搬送することによって、原稿の搬送方向に対して直交する方向を主走査方向とし、搬送方向を副走査方向とする原稿読取り走査が行われる。すなわち、原稿が流し読取り位置を通過する際に主走査方向に原稿画像を１ライン毎にイメージセンサ１０９で読み取りながら、原稿を副走査方向に搬送することによって原稿画像全体の読取りが行われ、光学的に読み取られた画像はイメージセンサ１０９によって画像データに変換されて出力される。イメージセンサ１０９から出力された画像データは、後述する画像信号制御部２０２において所定の処理が施された後にプリンタ３００の露光制御部１１０にビデオ信号として入力される。
【００２７】
また、原稿給送装置１００により原稿をプラテンガラス１０２上に搬送して所定位置に停止させ、この状態でスキャナユニット１０４を左から右へ走査させることにより原稿を読み取ることも可能である。この読取り方法は、いわゆる原稿固定読みと呼ばれる方法である。
【００２８】
原稿給送装置１００を使用しないで原稿を読み取るときには、まず、ユーザにより原稿給送装置１００を持ち上げてプラテンガラス１０２上に原稿を載置し、そして、スキャナユニット１０４を左から右へ走査させることにより原稿の読取りを行う。すなわち、原稿給送装置１００を使用しないで原稿を読み取るときには、原稿固定読みが行われる。
【００２９】
プリンタ３００の露光制御部１１０は、入力されたビデオ信号に基づきレーザ光を変調して出力し、該レーザ光はポリゴンミラー１１０ａにより走査されながら感光ドラム１１１上に照射される。感光ドラム１１１には走査されたレーザ光に応じた静電潜像が形成される。ここで、露光制御部１１０は、原稿固定読み時には、正しい画像（鏡像でない画像）が形成されるようにレーザ光を出力する。
【００３０】
この感光ドラム１１１上の静電潜像は、現像器１１３から供給される現像剤によって現像剤像として可視像化される。また、レーザ光の照射開始と同期したタイミングで、各カセット１１４，１１５、手差給紙部１２５または両面搬送パス１２４から用紙が給紙され、この用紙は感光ドラム１１１と転写部１１６との間に搬送される。感光ドラム１１１に形成された現像剤像は転写部１１６により給紙された用紙上に転写される。
【００３１】
現像剤像が転写された用紙は定着部１１７に搬送され、定着部１１７は用紙を熱圧することによって現像剤像を用紙上に定着させる。定着部１１７を通過した用紙はフラッパ１２１および排出ローラ１１８を経てプリンタ３００から外部（折り装置５００）に向けて排出される。
【００３２】
ここで、用紙をその画像形成面が下向きになる状態（フェイスダウン）で排出するときには、定着部１１７を通過した用紙をフラッパ１２１の切換動作により一旦反転パス１２２内に導き、その用紙の後端がフラッパ１２１を通過した後に、用紙をスイッチバックさせて排出ローラ１１８によりプリンタ３００から排出する。以下、この排紙形態を反転排紙と呼ぶ。この反転排紙は、原稿給送装置１００を使用して読み取った画像を形成するときまたはコンピュータから出力された画像を形成するときなどのように先頭頁から順に画像形成するときに行われ、その排紙後の用紙順序は正しい頁順になる。
【００３３】
また、手差給紙部１２５からＯＨＰシートなどの硬い用紙が給紙され、この用紙に画像を形成するときには、用紙を反転パス１２２に導くことなく、画像形成面を上向きにした状態（フェイスアップ）で排出ローラ１１８により排出する。
【００３４】
さらに、用紙の両面に画像形成を行う両面記録が設定されている場合には、フラッパ１２１の切換動作により用紙を反転パス１２２に導いた後に両面搬送パス１２４へ搬送し、両面搬送パス１２４へ導かれた用紙を上述したタイミングで感光ドラム１１１と転写部１１６との間に再度給紙する制御が行われる。
【００３５】
プリンタ３００から排出された用紙は折り装置５００に送られる。この折り装置５００は、用紙をＺ形に折り畳む処理を行う。例えば、Ａ３サイズやＢ４サイズのシートでかつ折り処理が指定されているときには、折り装置４００で折り処理を行い、それ以外の場合、プリンタ３００から排出された用紙は折り装置５００を通過して、製本装置６００、さらには、フィニッシャ７００に送られる。製本装置６００は、用紙を半分に折りたたみ閉じ処理を行う。フィニッシャ７００では、綴じ処理などの各処理を行う。
【００３６】
次に、本画像形成システム全体の制御を司るコントローラの構成について図２を参照しながら説明する。図２は図１の画像形成システム全体の制御を司るコントローラの構成を示すブロック図である。
【００３７】
コントローラは、図２に示すように、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック１０１，２０１，２０２，２０９，３０１，４０１，５０１，６０１，７０１を総括的に制御する。ＲＡＭ１５２は、制御データを一時的に保持し、また制御に伴う演算処理の作業領域として用いられる。
【００３８】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９などに対する駆動制御を行い、イメージセンサ１０９から出力されたアナログ画像信号を画像信号制御部２０２に転送する。
【００３９】
画像信号制御部２０２は、イメージセンサ１０９からのアナログ画像信号をデジタル信号に変換した後に各処理を施し、このデジタル信号をビデオ信号に変換してプリンタ制御部３０１に出力する。また、コンピュータ２１０から外部Ｉ／Ｆ２０９を介して入力されたデジタル画像信号に各種処理を施し、このデジタル画像信号をビデオ信号に変換してプリンタ制御部３０１に出力する。この画像信号制御部２０２による処理動作は、ＣＰＵ回路部１５０により制御される。プリンタ制御部３０１は、入力されたビデオ信号に基づき上述の露光制御部１１０を駆動する。
【００４０】
操作表示装置制御部４０１は、操作表示装置４００（図１に示す）とＣＰＵ回路部１５０との間で情報のやり取りを行う。ここで、操作表示装置４００は、後述するように、画像形成に関する各種機能を設定する複数のキー、設定状態を示す情報を表示するための表示部などを有する。この操作表示装置４００の各キーの操作に対応するキー信号は操作表示装置制御部４０１を介してＣＰＵ回路部１５０に出力される。また、操作表示装置制御部４０１は、ＣＰＵ回路部１５０からの信号に基づき対応する情報を操作表示装置４００の表示部に表示するように制御する。
【００４１】
折り装置制御部５０１は折り装置５００に搭載され、ＣＰＵ回路部１５０と情報のやり取りを行うことによって折り装置全体の駆動制御を行う。
【００４２】
製本装置制御部６０１は製本装置６００に搭載され、ＣＰＵ回路１５０と情報のやり取りを行うことによって製本装置全体の駆動制御を行う。
【００４３】
フィニッシャ制御部７０１はフィニッシャ７００に搭載され、ＣＰＵ回路部１５０と情報のやり取りを行うことによってフィニッシャ全体の駆動制御を行う。この制御内容については後述する。
【００４４】
次に、折り装置５００、製本装置６００、およびフィニッシャ７００の構成について図３を参照しながら説明する。図３は図１の折り装置５００、製本装置６００、およびフィニッシャ７００の構成を示す図である。
【００４５】
折り装置５００は、図３に示すように、プリンタ３００から排出された用紙を導入し、製本装置６００側に導くための折り搬送水平パス５０２を有する。折り搬送水平パス５０２上には、搬送ローラ対５０３および搬送ローラ対５０４が設けられている。また、折り搬送水平パス５０２の出口部（製本装置６００側）には、折りパス選択フラッパ５１０が設けられている。この折りパス選択フラッパ５１０は、折り搬送水平パス５０２上の用紙を折りパス５２０または製本装置６００側に導くための切換動作を行う。
【００４６】
ここで、折り処理を行う場合には、折りパス選択フラッパ５１０がオンされ、用紙が折りパス５２０に導かれる。折りパス５２０に導かれた用紙は、折りパス５２２に導かれ、先端を第１折りストッパ５２５に到達まで搬送される。その後、折りローラ５２１によって、折りパス５２３へ導かれると同時に端部より１／４の部分が折られ、端部が第２折りストッパ５２６に到達するまで搬送される。さらに、折りローラ５２１によって、折りパス５２４へ導かれると同時に用紙中央部が折られてＺ形に折りたたまれる。これに対し、折り処理を行わない場合には、折りパス選択フラッパ５１０がオフされ、用紙はプリンタ３００から折り搬送水平パス５０２を介して製本装置６００に直接送られる。
【００４７】
製本装置６００は、折り装置５００を介して排出された用紙を導入し、フニッシャ７００側に導くための製本搬送水平パス６１２を有する。製本搬送水平パス６１２上には、各搬送ローラ対６０２，６０３，６０４が設けられている。また、製本搬送水平パス６１２の入口部（折り装置５００側）には、製本パス選択フラッパ６１０が設けられている。この製本パス選択フラッパ６１０は、製本搬送水平パス６１２上の用紙を製本パス６１１またはフィニッシャ７００側に導くための切換動作を行う。
【００４８】
ここで、製本処理を行う場合には、製本パス選択フラッパ６１０がオンされ、用紙が製本パス６１１に導かれる。製本パス６１１に導かれた用紙は、搬送ローラ対６０５によって、用紙先端が可動式のシート位置決め部材６２５に接するまで搬送される。製本パス６１１の途中位置には、２対のステイプラ６１５が設けられており、このステイプラ６１５はそれに対向するアンビル６１６と協働して用紙束の中央を閉じるように構成されている。
【００４９】
ステイプラ６１５の下流位置には、折りローラ対６２０が設けられている。折りローラ対６２０の対向位置には、突出し部材６２１が設けられている。この突出し部材６２１を製本パス６１１に収納された用紙束に向けて突き出すことにより、この用紙束は折りローラ対６２０間に押し出され、この折りローラ対６２０によって折り畳まれた後に、製本排出トレイ６３０に排出される。
【００５０】
また、ステイプラ６１５で綴じられた用紙束を折る場合には、ステイプル処理終了後に用紙束のステイプル位置が折りローラ対６２０の中央位置になるように、位置決め部材６２５を所定距離分下降させる。
【００５１】
これに対して、製本処理を行わない場合には、製本パス選択フラッパ６１０がオフされ、用紙は折り装置５００から製本搬送水平パス６１２を介してフィニッシャ７００に送られる。
【００５２】
フィニッシャ７００は、折り装置５００および製本装置６００を介して排出された用紙を順に取り込み、取り込んだ複数の用紙を整合して１つの束に束ねる処理、束ねた用紙束の後端をステイプルで綴じるステイプル処理、ソート処理、ノンソート処理などの各シート後処理を行う。
【００５３】
フィニッシャ７００は、プリンタ３００から折り装置５００および製本装置６００を介して排出された用紙を内部に導くための入口ローラ対７０２を有する。入口ローラ対７０２で搬送された用紙は、フィニッシャパス７１１に導かれる。フィニッシャパス７１１の下流には、切換フラッパ７１０が配置されている。切換フラッパ７１０は、ノンソートパス７１２、または、ソートパス７１３に導くためのフラッパである。
【００５４】
ノンソート処理を行う場合は、切換フラッパ７１０がオンされ、用紙がノンソートパス７１２に導かれる。そして、用紙は、ノンソータパス７１２上に設けられた搬送ローラ対７０６およびノンソート排出ローラ対７０３を介してサンプルトレイ７２１上に排出される。
【００５５】
これに対して、ステイプル処理やソート処理を行う場合は、切換フラッパ７１０がオフされ、用紙がソートパス７１３に導かれる。ソートパス７１３に導かれた用紙は、ソート排出ローラ７０４を介して中間トレイ７３０上に積載される。
【００５６】
中間トレイ６３０上に束状に積載された用紙は、必要に応じて整合処理、ステイプル処理などが施された後に、排出ローラ７０５ａ，７０５ｂによりスタックトレイ７２２上に排出される。中間トレイ７３０上に束状に積載された用紙を綴じるステイプル処理には、ステイプラ７２０が用いられる。このステイプラ７２０の動作については後述する。スタックトレイ７２２は、上下方向に自走可能に構成されている。
【００５７】
次に、折り装置５００を駆動制御する折り装置制御部５０１の構成について図４を参照しながら説明する。図４は図２の折り装置制御部の構成を示すブロック図である。
【００５８】
折り装置制御部５０１は、図４に示すように、ＣＰＵ５６１、ＲＯＭ５６２、ＲＡＭ５６３などで構成されるＣＰＵ回路部５６０を有する。ＣＰＵ回路部５６０は、通信ＩＣ５６４を介して画像形成装置本体１０側に設けられたＣＰＵ回路部１５０と通信してデータ交換を行い、ＣＰＵ回路部１５０からの指示に基づきＲＯＭ５６２に格納されている各種プログラムを実行して折り装置５００の駆動制御を行う。
【００５９】
この駆動制御を行う際には、ＣＰＵ回路部５６０に、搬送中の用紙の遅延や滞留ジャムを検知するための各種パスセンサＳ１，Ｓ２，Ｓ３からの検出信号およびカバー開閉検知センサＳ４，Ｓ５からの検出信号が取り込まれる。ＣＰＵ回路部５６０にはドライバ５６５，５６６が接続され、ドライバ５６５はＣＰＵ回路部５６０からの信号に基づき搬送処理モジュールのモータＭ１およびソレノイドＳＬ１を駆動し、ドライバ５６６はＣＰＵ回路部５６０からの信号に基づき折り処理モジュールのモータＭ２，Ｍ３を駆動する。
【００６０】
ここで、搬送処理モジュールとしては、搬送ローラ対５０３、５０４の駆動源である水平パス搬送モータＭ１、パス切換フラッパ５１０の切換を行うソレノイドＳＬ１がある。また、折り処理モジュールとしては、折りローラ５２１の駆動源である折りモータＭ２、搬送ローラ５２７，５２８の駆動源である折りパス搬送モータＭ３がある。
【００６１】
カバー開閉検知センサＳ４は、後述するカバー５５１の開閉を検出するためのセンサであり、カバー開閉検知センサＳ４からの検出信号によって、カバー５５１が開状態と検出された場合、ドライバ５６５の電源がオフされ、上記搬送処理モジュールの駆動が強制的に停止される。また同時に、ドライバ５６６の電源もオフされ、上記折り処理モジュールの駆動も強制的に停止される。
【００６２】
カバー開閉検知センサＳ５は、後述のカバー５５２の開閉を検出するためのセンサであり、カバー開閉検知センサＳ５からの検出信号によって、カバー５５２が開状態と検出された場合、ドライバ５６６の電源のみがオフされ、上記折り処理モジュールの駆動が強制的に停止される。
【００６３】
また、各カバー５５１，５５２の開閉を制限するための搬送カバーロックソレノイドＳＬ２および折りカバーロックソレノイドＳＬ３が設けられている。
【００６４】
次に、製本装置６００を駆動制御する製本装置制御部６０１の構成について図５を参照しながら説明する。図５は図２の製本装置制御部の構成を示すブロック図である。
【００６５】
製本装置制御部６０１は、図５に示すように、ＣＰＵ６６１、ＲＯＭ６６２、ＲＡＭ６６３などで構成されるＣＰＵ回路部６６０を有する。ＣＰＵ回路部６６０は、通信ＩＣ６６４を介して画像形成装置本体１０側に設けられたＣＰＵ回路部１５０と通信してデータ交換を行い、ＣＰＵ回路部１５０からの指示に基づきＲＯＭ６６２に格納されている各種プログラムを実行して製本装置６００の駆動制御を行う。
【００６６】
この駆動制御を行う際には、ＣＰＵ回路部６６０に各種パスセンサＳ１，Ｓ２，Ｓ３からの検出信号およびカバー開閉検知センサＳ４，Ｓ５，Ｓ６からの検出信号が取り込まれる。ＣＰＵ回路部６６０にはドライバ６６５，６６６，６６７が接続され、ドライバ６６５はＣＰＵ回路部６６０からの信号に基づき搬送処理モジュールのモータＭ１およびソレノイドＳＬ１を駆動し、ドライバ６６６はＣＰＵ回路部６６０からの信号に基づき製本処理モジュールのモータＭ２，Ｍ３，Ｍ５を駆動し、ドライバ６６７はＣＰＵ回路部６６０からの信号に基づき積載処理モジュールのモータＭ４を駆動する。
【００６７】
ここで、搬送処理モジュールとしては、搬送ローラ対６０２，６０３，６０４の駆動源である水平パス搬送モータＭ１、パス切換フラッパ６１０の切換を行うソレノイドＳＬ１がある。また、製本処理モジュールとしては、折りローラ６２０の駆動源である折りモータＭ２、搬送ローラ６０５の駆動源である折りパス搬送モータＭ５、シート位置決め部材６２５の駆動源である位置決めモータＭ３がある。また、積載処理モジュールとしては、製本排出トレイ６３０の駆動源であるトレイ昇降モータＭ４がある。さらに、カバー開閉検知センサＳ４は、後述のカバー６５１の開閉を検出するためのセンサ、カバー開閉検知センサＳ５は後述のカバー６５２の開閉を検出するためのセンサ、カバー開閉検知センサＳ６は後述のカバー６５３の開閉を検出するためのセンサである。
【００６８】
カバー開閉検知センサＳ４は、後述するカバー６５１の開閉を検出するためのセンサであり、カバー開閉検知センサＳ４からの検出信号によって、カバー６５１が開状態と検出された場合、ドライバ６６５の電源がオフされ、上記搬送処理モジュールの駆動が強制的に停止されると同時に、ドライバ６６６および６６７の電源がオフされ、製本装置６００の全ての駆動が強制的に停止される。
【００６９】
カバー開閉検知センサＳ５は、後述のカバー６５２の開閉を検出するためのセンサであり、カバー開閉検知センサＳ５からの検出信号によって、カバー６５２が開状態と検出された場合、ドライバ６６６の電源がオフされ、製本処理モジュールの駆動が強制的に停止される。
【００７０】
カバー開閉検知センサＳ６は、後述のカバー６５３の開閉を検出するためのセンサであり、カバー開閉検知センサＳ５からの検出信号によって、カバー６５３が開状態と検出された場合、ドライバ６６７の電源がオフされ、積載処理モジュールの駆動が強制的に停止される。
【００７１】
また、各カバー６５１，６５２，６５３の開閉を制限するための搬送カバーロックソレノイドＳＬ２、折りカバーロックソレノイドＳＬ３および取り出しカバーロックソレノイドＳＬ４が設けられている。
【００７２】
次に、フィニッシャ７００を駆動制御するフィニッシャ制御部７０１の構成について図６を参照しながら説明する。図６は図２のフィニッシャ制御部の構成を示すブロック図である。
【００７３】
フィニッシャ制御部７０１は、図６に示すように、ＣＰＵ７６１、ＲＯＭ７６２、ＲＡＭ７６３などで構成されるＣＰＵ回路部７６０を有する。ＣＰＵ回路部７６０は、通信ＩＣ７６４を介して画像形成装置本体１０側に設けられたＣＰＵ回路部１５０と通信してデータ交換を行い、ＣＰＵ回路部１５０からの指示に基づきＲＯＭ７６２に格納されている各種プログラムを実行してフィニッシャ７００の駆動制御を行う。
【００７４】
この駆動制御を行う際には、ＣＰＵ回路部７６０に各種パスセンサＳ１，Ｓ２，Ｓ３からの検出信号およびカバー開閉検知センサＳ４，Ｓ５，Ｓ６からの検出信号が取り込まれる。ＣＰＵ回路部７６０にはドライバ７６５，７６６，７６７，７６８が接続され、ドライバ７６５はＣＰＵ回路部７６０からの信号に基づき搬送処理モジュールのモータＭ１およびソレノイドＳＬ１を駆動し、ドライバ７６６はＣＰＵ回路部７６０からの信号に基づきノンソート排紙処理モジュールのモータＭ２を駆動し、ドライバ７６７はＣＰＵ回路部７６０からの信号に基づきソート排紙処理モジュールのモータＭ３，Ｍ５を駆動し、ドライバ７６８はＣＰＵ回路部７６０からの信号に基づき積載処理モジュールのモータＭ４を駆動する。
【００７５】
ここで、搬送処理モジュールとしては、入口ローラ対７０２の駆動源である搬送モータＭ１、パス切換フラッパ７１０の切換を行うソレノイドＳＬ１がある。ノンソート排紙処理モジュールとしては、搬送ローラ対７０６、ノンソート排出ローラ７０３の駆動源である排紙モータＭ２がある。ソート処理モジュールとしては、ソート排出ローラ７０４の駆動源であるソート排紙モータＭ５、束排出ローラ７０５ａ、７０５ｂの駆動源である束搬送モータＭ３がある。積載処理モジュールとしては、スタックトレイ７２２の駆動源であるトレイ昇降モータＭ４がある。搬送モータＭ１、ノンソート排紙モータＭ２、ソート排紙モータＭ５はステッピングモータからなり、励磁パルスレートを制御することによって各モータにより駆動するローラ対を等速で回転させたり、独自の速度で回転させたりすることができる。束搬送モータＭ３はＤＣモータからなる。
【００７６】
カバー開閉検知センサＳ４は、後述のカバー７５１の開閉を検出するためのセンサであり、カバー開閉検知センサＳ４からの検出信号によりカバー７５１が開状態にあると検出した場合、ドライバ７６５の電源がオフされ、搬送処理モジュールの駆動が強制的に停止されると同時に、ドライバ７６６，７６７，７６８の電源がオフされ、フィニッシャ７００の全ての駆動が強制的に停止される。
【００７７】
カバー開閉検知センサＳ５は、後述のカバー７５２の開閉を検出するためのセンサであり、カバー開閉検知センサＳ５からの検出信号によって、カバー７５２が開状態と検出された場合、ドライバ７６６の電源がオフされ、ノンソート処理モジュールの駆動のみが強制的に停止される。
【００７８】
カバー開閉検知センサＳ６は、後述のカバー７５３の開閉を検出するためのセンサであり、カバー開閉検知センサＳ５からの検出信号によって、カバー７５３が開状態と検出された場合、ドライバ７６７の電源がオフされ、ソート処理モジュールの駆動のみが強制的に停止される。
【００７９】
また、各カバー７５１，７５２，７５３の開閉を制限するための搬送カバーロックソレノイドＳＬ２、ノンソートカバーロックソレノイドＳＬ３およびソートカバーロックソレノイドＳＬ４が設けられている。
【００８０】
次に、折り装置５００、製本装置６００、フィニッシャ７００の外装カバーを開けて対応するモジュールを取り出した状態について図７ないし図１０を参照しながら説明する。図７は折り装置５００、製本装置６００、フィニッシャ７００の外装カバーの配置を模式的に示す図、図８および図９は製本装置６００のカバーを開けて対応するモジュールを引き出した状態を模式的に示す斜視図、図１０は折り装置５００およびフィニッシャ７００のカバーをそれぞれ開けて対応するモジュールを引き出した状態を模式的に示す斜視図である。
【００８１】
折り装置５００には、図７に示すように、折り搬送水平パス５０２を含む水平パス部を覆うカバー５５１と、折りパス５２０および折りローラ５２１を含む折り処理部を覆うカバー５５２とが開閉可能に設けられている。カバー５５１とカバー５５２は、それぞれ独立に開閉可能であり、これらは、ジャム処理時や、部品交換、清掃、調整などのメンテナンス時に開閉される。各カバー５５１，５５２の開閉は、上述したカバー開閉検知センサにより検知される。また、各カバー５５１，５５２には、後述する開閉ロック機構（図１１に示す）が設けられている。ここで、カバー５５２を開けると、図１０に示すように、折り処理部５４０を機外に引き出すことが可能になる。
【００８２】
製本装置６００には、図７に示すように、製本水平搬送パス６１２を含む製本水平パス部を覆うカバー６５１と、製本パス６１１を含む製本処理部を覆うカバー６５２と、カバー６５２に取り付けられたカバー６５３とが設けられている。カバー６５１とカバー６５２はそれぞれ独立に開閉可能であり、これらは、ジャム処理時や、部品交換、清掃、調整などのメンテナンス時に開閉される。また、カバー６５３は、カバー６５２と独立して開閉可能であり、製本排出トレイ６３０上に排出された製本処理後の用紙束を機外に取り出すときに開閉される。各カバー６５１，６５２，６５３の開閉は、上述したカバー開閉検知センサにより検知される。また、各カバー６５１，６５２には、後述するような開閉ロック機構（図示せず）が設けられている。
【００８３】
ここで、製本装置６００のカバー６５１を開けると、図８に示すように、製本搬送水平パス６１２、製本パス選択フラッパ６１０および各搬送ローラ対６０２，６０３，６０４に対して、機外からアクセス可能になる。製本パス６１１は、製本水平パス部に設けられた上部６１１ａと製本処理部に設けられた下部６１１ｂに分割され、製本パス６１１の上部６１１ａには、製本装置６００のカバー６５１を開けることによってアクセス可能になる。また、カバー６５２を開けると、図９に示すように、製本パス６１１の下部６１１ｂを含むモジュール化された製本処理部６４０をスライドレール６４１に沿って機外に引き出すことが可能になる。製本処理部６４０を引き出すと、製本パス６１１の下部６１１ｂとその下流に配置された搬送ローラ対６０５、ステイプラ６１５、折りローラ６２０などに対してアクセス可能になる。
【００８４】
フィニッシャ７００には、図７に示すように、フィニッシャパス７１１を覆うカバー７５１と、ノンソートパス７１２を覆うカバー７５２と、ステイプラ７２０を含むステイプル処理部を覆うカバー７５３とが設けられている。各カバー７５１，７５２，７５３はそれぞれ独立に開閉可能であり、これらは、ジャム処理時や、部品交換、清掃、調整などのメンテナンス時に開閉される。各カバー７５１，７５２，７５３の開閉は、上述したカバー開閉検知センサにより検知される。また、各カバー７５１，７５２，７５３には、後述するような開閉ロック機構（図示せず）が設けられている。ここで、カバー７５３を開けると、図１０に示すように、ソート処理部７４０を機外に引き出すことが可能になる。
【００８５】
次に、画像形成装置本体１０のプリンタ３００の外装カバーの配置について図２３を参照しながら説明する。図２３は図１の画像形成装置本体１０のプリンタ３００に設けられた外装カバーの配置を模式的に示す図である。
【００８６】
プリンタ３００には、図２３に示すように、カバー３５２およびカバー３５３が設けられている。カバー３５２は、感光ドラム１１１、転写部１１６、定着部１１７、フラッパ１２１およびそれぞれに用紙を導くための搬送パスを覆うためのカバーである。ここで、片面、両面のいずれの画像形成時においても、用紙は上記搬送パス上を搬送される。カバー３５３は、両面搬送パス１２４を覆うためのカバーである。カバー３５２とカバー３５３は独立に開閉可能であり、これらは、ジャム処理時や、部品交換、清掃、調整などのメンテナンス時に開閉される。各カバー３５２，３５３の開閉は、折り装置５００、製本装置６００やフィニッシャ７００と同様に、カバー開閉検知センサ（図示せず）により検知される。また、各カバー３５２，３５３には、図１１に示すと同様な開閉ロック機構（図示せず）が設けられている。
【００８７】
ここで、カバー３５３が開けられた場合は、両面搬送パス１２４に配置された搬送ローラ対の駆動を行うドライバがオフされ、搬送ローラ対は停止状態に保持される。カバー３５２が開けられた場合は、カバー３５２に覆われた、感光ドラム１１１や定着部１１７などの駆動部、カバー３５３に覆われた駆動部を含むプリンタ３００の全ての駆動部が停止される。よって、両面搬送パス１２４内のローラ清掃などのメンテナンスのためにカバー３５３が開けられても、画像形成動作は停止されない。
【００８８】
このように、搬送パス毎にカバーを分割したことにより、画像形成動作中でもシートが搬送されていない部分であれば、カバーを開閉して対応する処理モジュールのメンテナンスを行うことが可能となり、様々なタイミングで個々の処理モジュールに対するメンテナンスを行ってもシステムが停止する時間を低減することができる。
【００８９】
次に、各カバー５５１，５５２，６５１，６５２，７５１，７５２，７５３のロック機構について図１１を参照しながら説明する。図１１は折り装置５００のカバー５５２のロック機構を模式的に示す図であり、同図（ａ）はカバー非ロック状態、同図（ｂ）はカバーロック状態を示す。各カバー５５１，５５２，６５１，６５２，７５１，７５２，７５３のロック機構は同様の構成を有し、ここでは、折り装置５００の折り処理部に設けられたカバー５５２を例として説明する。
【００９０】
折り装置５００のカバー５５２は、図１１（ａ），（ｂ）に示すように、ヒンジ５５５によって折り装置５００の支柱などに回転可能に支持されている。カバー５５２には開閉検知センサフラグ５５３が設けられており、カバー５５２の開閉に応じて、カバー開閉検知センサＳ５の光路が開閉検知センサフラグ５５３によって開放または遮断される。これにより、カバー５５２の開閉状態が検出される。また、カバー５５２には、後述するフック５５７が引っ掛かる鍵穴を有する板５５４が設けられている。
【００９１】
カバー５５２の開閉を制限するための折りカバーロックソレノイドＳＬ３は、電磁ソレノイドからなり、その先端にはフック５５７が連結されている。フック５５７は、装置に固定された軸５５６を中心に回転可能に保持されている。フック５５７は、引っ張りバネ５５８で、カバー５５２に設けられた板５５４から遠ざかる方向に引っ張られている。折りカバーロックソレノイドＳＬ３が動作すると、フック５５７は板５５４の鍵穴にささる方向に回転する。このときカバー５５２が閉まっていると、板５５４の鍵穴にフック５５７が引っ掛かり、カバー５５２がロックされ、カバー５５２が開けられない状態となる。折りカバーロックソレノイドＳＬ３がオフすると、引っ張りバネ５５８によってフック５５７が鍵穴から外れてカバー５５２のロックが解除される。
【００９２】
次に、操作表示装置４００および操作表示装置制御部４０１について図１２ないし図１４を参照しながら説明する。図１２は図１の操作表示装置４００の概観構成を示す図、図１３は図２の操作表示装置制御部４０１の構成を示すブロック図、図１４（ａ）は操作表示装置４００に表示されるメイン画面例を示す図、同図（ｂ）は操作表示装置４００に表示されるメニュー選択画面例を示す図、同図（ｃ）はメンテナンス実行中におけるメイン画面の表示例を示す図である。
【００９３】
操作表示装置４００には、図１２に示すように、画像形成動作を開始するためのスタートキー４０２、画像形成動作を中断するためのストップキー４０３、置数設定などを行うテンキー４０４〜４１２，４１４、ＩＤキー４１３、クリアキー４１５、リセットキー４１６、メンテナンスキー４１７などの各キーが配置されているとともに、ビープ音などの報知用ブザー４２１が設けられている。また、操作表示装置４００の上部には、タッチパネルが形成された液晶表示部４２０が配置されており、この画面上にはソフトキーを作成することが可能である。
【００９４】
操作表示装置制御部４０１は、図１３に示すように、ＣＰＵ４６１、ＲＯＭ４６２、ＲＡＭ４６３および４６４などで構成されるＣＰＵ回路部４６０を有する。ＲＡＭ４６３には、液晶表示部４２０に表示する画面の各種データが記憶される。ＲＡＭ４６４は、ＣＰＵ４６１のワークエリアなどとして利用される。液晶表示部４２０は、タッチパネル上のソフトキーによるキー入力部４６５ａと液晶ディスプレイ部４６５ｂにより構成されている。
【００９５】
ＣＰＵ回路部４６０は、画像形成装置本体１０側に設けられたＣＰＵ回路部１５０と通信してデータ交換を行い、ＣＰＵ回路部１５０からの指示や各種キー４０２〜４１６および４６５ａの入力に基づきＲＯＭ４６２に格納されている各種プログラムを実行し、ＲＡＭ４６３に格納されている画面データを液晶ディスプレイ部４６５ｂに出力して表示を行う。
【００９６】
本画像形成システムは、後処理モードとして、ノンソート（グループ）、ソート、ステイプルソート（綴じモード）、製本モードなどの各処理モードを有する。このような処理モードの設定などは、操作表示装置４００からの入力操作により行われる。例えば、後処理モードとしてソートを設定する際には、図１４（ａ）に示すメイン画面上で、ソフトキーである“ソータ”を選択する。この“ソータ”の選択に応じて、図１４（ｂ）に示すソータ種類選択画面が液晶表示部４２０に表示され、この選択画面を用いて処理モードの設定が行われる。
【００９７】
また、後述するメンテナンス実行中において、上記メイン画面への復帰が行われた際には、図１４（ｃ）に示すように、“メンテナンス実行中です”のメッセージが表示されたメイン画面が表示される。
【００９８】
次に、本画像形成システムのメンテナンスについて図１５ないし図１８を参照しながら説明する。図１５および図１６はメンテナンス時の操作画面例を示す図、図１７は処理モードとして片面画像形成モードでかつソート処理が選択されている場合の各モジュールに対してメンテナンスが可能か否かの状態を表示した画面例を示す図、図１８はメンテナンス項目とそれに関連するサブメンテナンス項目を示すテーブルである。
【００９９】
本実施形態では、複数のメンテナンス項目と該複数のメンテナンス項目に関連するサブメンテナンス項目とを示すテーブルを保持し、複数のメンテナンス項目の中から選択されたメンテナンス項目のメンテナンスが終了すると、上記テーブルを参照して選択されたメンテナンス項目に関連するサブメンテナンス項目があるか否かを判定し、選択されたメンテナンス項目に関連するサブメンテナンス項目があると、該サブメンテナンス項目を液晶表示部４２０に表示する。
【０１００】
ここで、まずメンテナンス項目とサブメンテナンス項目について説明すると、ＣＰＵ回路部１５０のＲＯＭ１５１（またはＲＡＭ１５２）には、図１８に示すように、複数のメンテナンス項目とこれらのメンテナンス項目に関連するサブメンテナンス項目とを記述した示すテーブルが格納されている。このテーブルは、折り装置５００に関するメンテナンス項目とそれに関連するサブメンテナンス項目とを記述したものであるが、他の装置（製本装置６００、フィニッシャ７００など）のテーブルも同様の構成を有し、ＲＯＭ１５１（またはＲＡＭ１５２）に格納されている。
【０１０１】
ここで、例えば、ローラを交換後に、ローラ圧を調整しなければならないケースや、センサの清掃を行った後に、センサ光量調整を行わなければならないケースなど、あるメンテナンス項目に関して、メンテナンスを実施した後に必ず実施しなければならない他のメンテナンス項目のことをサブメンテナンス項目と定義している。また、メンテナンス項目に対してサブメンテナンス項目の数は限定されることはなく、その数は１つであってもよいし複数であってもよい。さらに、サブメンテナンス項目に対して、その下位に１つ以上のサブメンテナンス項目があってもよい。
【０１０２】
例えば、折り装置５００の折りローラ５２１の交換を実施した場合、図１８のテーブルに示すように、サブメンテナンス項目として折りローラ圧接力調整、第１折り位置調整、第２折り位置調整を行う必要がある。折りローラ圧接力調整、第１折り位置調整の実施には順番の制約はないが、第２折り位置調整は第１折り位置調整を行った後に行わなければならない。よって、この場合は、サブメンテナンス実施順序としては、折りローラ圧接力調整、第一折り位置調整、第二折り位置調整の順に実施されるように設定されている。
【０１０３】
メンテナンスを行う場合、まず操作表示装置４００のメンテナンスキー４１７がユーザによって押下される。このメンテナンスキー４１７が押下されると、図１７に示すように、操作表示装置制御部４０１は、各処理モジュール（画像形成装置本体１０、折り装置５００、製本装置６００、フィニッシャ７００）がメンテナンス可能か否かの状態を表すモジュール状態画面を液晶表示部４２０に表示する。図１７のモジュール状態画面では、メンテナンス可能か否か、すなわち、各処理モジュールを覆うカバーが開閉可能か否かを表示している。ここで、開けることが許可されているカバーはハイライト表示され、開けることが禁止されているカバーは網掛け表示されている。
【０１０４】
具体的に、片面画像形成モードで、ソート処理を行っているときに折り装置５００をメンテナンスする場合を例にして説明すると、プリンタ３００においては、片面画像形成モードであるので、シートが搬送されない両面処理モジュール部のカバー３５３がハイライト表示され、画像形成部のカバー３５２が網掛け表示されている。折り装置５００と製本装置６００においては、画像形成されたシートをフィニッシャ７００へ搬送する折り搬送水平パス５０２を覆うカバー５５１と製本搬送水平パス６１２を覆う６５１が網掛け表示となり、折り処理部５４０を覆うカバー５５２と製本処理部６４０を覆うカバー６５２がハイライト表示されている。フィニッシャ７００においては、シートがフィニッシャパス７１１からソートパス７１３を経て中間トレイ７３０、さらにスタックトレイ７２２へ排出されるため、カバー７５１，７５３のそれぞれが網掛け表示され、カバー７５２がハイライト表示される。
【０１０５】
図１７の表示画面からメンテナンスが可能なモジュールを確認した後、この画面において、ユーザが液晶表示部４２０に表示されているソフトキーの“ＯＫ”キーを押下すると、図１５（ａ）に示すメンテナンス選択画面が表示される。このメンテナンス選択画面では、メンテナンスが必要な全てのモジュールが選択メニューとして表示される。この選択画面上においてユーザが対応画面位置を押下し、選択可能なモジュールからメンテナンスを行うモジュールを選択すると（本例では、“折り装置”を選択する）、ユーザが選択したモジュールに関連するメンテナンスの項目メニューが表示される（図１５（ｂ））。図１５（ｂ）の選択画面上で、ユーザが対応画面位置を押下してメンテナンス項目を選択すると（本例では、“調整”を選択する）、ユーザにより選択されたメンテナンス項目の詳細が表示される（図１５（ｃ））。図１５（ｃ）の選択画面上において、ユーザが対応画面位置を押下してメンテナンス項目を選択すると（本例では、“折りローラ圧接力調整”を選択する）、選択されたメンテナンス項目に対するメンテナンスの設定および実行画面が表示される（図１５（ｄ））。図１５（ｄ）の実行画面上において、設定値を入力し、“ＯＫ”キーを押下すると、所望のメンテナンスが実行されるとともに、メンテナンス実行中画面が表示される（図１６（ａ））。本例では、折りローラ５２１の圧接力が自動調整される。
【０１０６】
一方、清掃や交換、または、手動で調整しなければならない項目など、ユーザがメンテナンスの終了を判断するメンテナンスの場合は、図１５（ｂ）の画面で“清掃”または“部品交換”を選択した後にメンテナンス実行中画面（図１６（ｂ））が表示される（本例では、“部品交換”を選択する）。メンテナンスが終了した場合、図１６（ｂ）のメンテナンス実行中画面において、ユーザにより“完了”キーが押下される。これにより、メンテナンスが終了したと判断される。
【０１０７】
メンテナンスが終了すると、または、メンテナンス終了に伴いユーザにより図１６（ｂ）のメンテナンス実行中画面上の“完了”キーが押下されると、上記テーブルを参照してメンテナンスが終了したメンテナンス項目に関連するサブメンテナンス項目があるか否かを判定する。ここで、上記関連するサブメンテナンス項目がある場合は、サブメンテナンス継続選択画面が表示される（図１６（ｃ））。このサブメンテナンス継続選択画面上では、サブメンテナンス項目のメンテナンスを続けて実行するかジョブ終了後に実行するかを選択するかを選択することが可能である。上記画面上で“続けて実行する”キーが押下された場合、サブメンテナンス項目に対するメンテナンスの設定および実行画面が表示される（図１６（ｄ））。本例は、図１８のテーブルに示すように、折りローラ５２１を交換した場合に必要なサブメンテナンス項目である折りローラ圧接力調整を行う例を示している。そして、この図１６（ｄ）の画面上で、設定値を入力し、“ＯＫ”キーを押下すると、折りローラ５２１の圧接力が入力された設定値に自動調整される。
【０１０８】
また、上記サブメンテナンス継続選択画面上“ＪＯＢ終了後に実行する”キーを選択した場合、ジョブ終了後に、“続けて実行する”キーが押下された場合と同様に、サブメンテナンス項目に対するメンテナンスの設定および実行画面が表示される（図１６（ｄ））。
【０１０９】
次に、上述したメンテナンス時の操作画面表示処理について図１９ないし図２１を参照しながら説明する。図１９ないし図２１はメンテナンス時の操作画面表示処理の手順を示すフローチャートである。図１９から図２１のフローチャートで示される手順は、操作表示装置制御部４６０のＲＯＭ４６２に格納されているプログラムに従いＣＰＵ４６１により実行されるものである。
【０１１０】
ＣＰＵ４６１は、図１９に示すように、ステップＳ２００１において、ユーザによって操作表示装置４００のメンテナンスキー４１７が押下されるのを監視する。ここで、このメンテナンスキー４１７が押下されたと判定した場合、ＣＰＵ４６１は、ステップＳ２００２において、ユーザに対して各モジュールがメンテナンス可能状態にあるか否かを提示するためのモジュール状態画面（図１７に示す）を表示する。そして、ＣＰＵ４６１は、ステップＳ２００３において、上記モジュール状態画面上で“戻る”が選択されたか否かを判定し、“戻る”が選択されたと判定した場合、ステップＳ２００８において、メイン画面を表示する。ここで、ジョブ実行中である場合、図１４（ｃ）に示すメイン画面が表示され、ジョブ実行中でないときには、図１４（ａ）に示すメインが表示される。これに対し、“戻る”が選択されなかったと判定した場合、ＣＰＵ４６１は、ステップＳ２００４において、“ＯＫ”が選択されたか否かを判定する。ここで、“ＯＫ”が選択されなかったと判定した場合、ＣＰＵ４６１は、再び上記ステップＳ２００３に戻り、“ＯＫ”が選択されたと判定した場合、ＣＰＵ４６１は、ステップＳ２００５において、モジュールを選択するためのモジュール選択画面（図１５（ａ））を表示する。
【０１１１】
次いで、ＣＰＵ４６１は、ステップＳ２００６において、“戻る”が選択されたか否かを判定し、“戻る”が選択されたと判定した場合、ステップＳ２００８において、メイン画面を表示する。これに対し、“戻る”が選択されなかったと判定した場合、ＣＰＵ４６１は、ステップＳ２００７において、上記モジュール選択画面上でユーザによりモジュールが選択されたか否かを判定する。ここで、モジュールが選択されていない場合、ＣＰＵ４６１は、再び上記ステップＳ２００６に戻る。これに対し、モジュール選択画面（図１５（ａ））においてユーザによりモジュールが選択されたと判定した場合、ＣＰＵ４６１は、図２０のステップＳ２１０１へ進む。
【０１１２】
ステップＳ２１０１において、ＣＰＵ４６１が、上記ステップＳ２００７でユーザが選択したモジュールに関連するメンテナンスの項目メニュー（図１５（ｂ））を表示する。そして、ＣＰＵ４６１は、ステップＳ２１０２において、“戻る”が選択されたか否かを判定する。ここで、“戻る”が選択されたと判定した場合、ＣＰＵ４６１は、再び上記ステップＳ２００５に戻る。これに対し、“戻る”が選択されなかったと判定した場合、ＣＰＵ４６１は、ステップＳ２１０３において、調整項目の表示が選択されたか否かを判定する。
【０１１３】
上記ステップＳ２１０３において調整項目の表示が選択されなかったと判定した場合、ＣＰＵ４６１は、ステップＳ２１０４において、清掃項目の表示が選択されたか否かを判定する。ここで、清掃項目の表示が選択されなかったと判定した場合、ＣＰＵ４６１は、ステップＳ２１０５において、部品交換項目の表示が選択されたか否かを判定し、部品交換項目の表示が選択されなかったと判定した場合、再び上記ステップＳ２１０２に戻る。
【０１１４】
上記ステップＳ２１０３で調整項目の表示が選択されたと判定した場合、ＣＰＵ４６１は、ステップＳ２１６において、ユーザが選択したモジュールに関連する調整メンテナンスの項目メニュー（図１５（ｃ））を表示し、そして、ステップＳ２１０９へ進む。
【０１１５】
上記ステップＳ２１０４で清掃項目の表示が選択されたと判定した場合、ＣＰＵ４６１は、ステップＳ２１０７において、ユーザが選択したモジュールに関連する清掃メンテナンスの項目メニュー（図示せず）を表示し、そして、ステップＳ２１０９へ進む。
【０１１６】
上記ステップＳ２１０５で部品交換項目の表示が選択されたと判定した場合、ＣＰＵ４６１は、ステップＳ２１０８において、ユーザが選択したモジュールに関連する部品交換メンテナンスの項目メニュー（図示せず）を表示し、そして、ステップＳ２１０９へ進む。
【０１１７】
ステップＳ２１０９においては、ＣＰＵ４６１が、ユーザにより“戻る”が選択されたか否かを判定する。ここで、ユーザにより“戻る”が選択されたと判定した場合、ＣＰＵ４６１は、再び上記ステップＳ２１０１に戻る。これに対し、ユーザにより“戻る”が選択されなかったと判定した場合、ＣＰＵ４６１は、ステップＳ２１１０において、メンテナンスの項目メニュー画面上で項目が選択されたか否かを判定し、項目が選択されていないと判定した場合、再び上記ステップＳ２１０９に戻る。
【０１１８】
上記ステップＳ２１１０で項目が選択されたと判定した場合、ＣＰＵ４６１は、ステップＳ２１１１において、メンテナンスの実行、入力設定画面（図１５（ｄ））を表示する。そして、ＣＰＵ４６１は、ステップＳ２１１２において、ユーザにより“戻る”が選択されたか否かを判定する。ここで、“戻る”が選択されたと判定した場合、ＣＰＵ４６１は、再び上記ステップＳ２１０１に戻る。これに対し、“戻る”が選択されなかったと判定した場合、ＣＰＵ４６１は、ステップＳ２１１３において、ユーザにより“ＯＫ”が選択されたか否かを判定し、“ＯＫ”が選択されなかったと判定した場合、再び上記ステップＳ２１１２に戻る。“ＯＫ”が選択されたと判定した場合、ＣＰＵ４６１は、ステップＳ２１１４において、選択されたメンテナンス項目に関してのメンテナンスの実行および入力の実行を行う。そして、ＣＰＵ４６１は、図２１のステップＳ２２０１へ進む。
【０１１９】
ステップＳ２２０１においては、ＣＰＵ４６１が、ユーザにより選択されたメンテナンスの実行中画面（図１６（ａ）または図１６（ｂ））を表示する。ここで、メンテナンス実行中画面はユーザが上記ステップＳ２１１０において選択したメンテナンスの項目によって区別される。具体的には、ＣＰＵ４６１がユーザのキー入力を必要とすることなく、メンテナンスの実行終了を判断可能なメンテナンス項目の場合は、図１６（ａ）の画面が表示される。これに対し、ＣＰＵ４６１がメンテナンスの実行終了をユーザからの“完了”キーの入力により判断するメンテナンス項目の場合は、図１６（ｂ）の画面が表示される。
【０１２０】
次いで、ＣＰＵ４６１は、ステップＳ２２０２において、メンテナンスが終了したか否かを判定する。上記ステップＳ２２０１において、図１６（ｂ）の画面を表示する場合、すなわちＣＰＵ４６１がメンテナンスの実行終了をユーザからの“完了”キーの入力により判断するメンテナンス項目の場合は、図１６（ｂ）の画面においてユーザによって“完了”キーが押下されたときに、メンテナンスの終了と判断する。ここで、メンテナンスが終了していないと判定した場合、ＣＰＵ４６１は、上記ステップＳ２２０１に戻る。
【０１２１】
上記ステップＳ２２０２においてメンテナンスが終了した判定した場合、ＣＰＵ４６１は、ステップＳ２２０３において、メンテナンスが終了したメンテナンス項目に関連するサブメンテナンス項目がないか否かを判定する。ここで、サブメンテナンス項目がないと判定した場合、ＣＰＵ４６１は、上記ステップＳ２１０１に戻る。これに対し、サブメンテナンス項目があると判定した場合、ＣＰＵ４６１は、ステップＳ２２０４において、ジョブ実行中であるか否かを判定し、ジョブ実行中でなければ、上記ステップＳ２１１１に戻る。
【０１２２】
上記ステップＳ２２０４でジョブ実行中と判定した場合、ＣＰＵ４６１は、ステップＳ２２０５において、サブメンテナンス項目に対するメンテナンス実行時期を選択するための選択画面（図１６（ｃ））を表示する。そして、ＣＰＵ４６１は、上記選択画面上で“続けて実行する”が選択されたか否かを判定する。ここで、“続けて実行する”が選択されなかったすなわち“ジョブ終了後に実行する”が選択されたと判定した場合、ＣＰＵ４６１は、ステップＳ２２０７において、サブメンテナンス項目をメンテナンス予約項目に登録し、上記ステップＳ２１０１に戻る。
【０１２３】
上記ステップＳ２２０６で“続けて実行する”が選択されたと判定した場合、ＣＰＵ４６１は、ステップＳ２２０８において、サブメンテナンス項目の入力設定画面（図１６（ｄ））を表示する。次いで、ＣＰＵ４６１は、ステップＳ２２０９において、上記入力設定画面上で“ＯＫ”すなわちメンテナンスの実行および入力の実行が選択されるのを待ち、“ＯＫ”が選択されたと判定した場合、ステップＳ２２１０において、サブメンテナンス項目に関してのメンテナンスの実行および入力の実行を行う。そして、ＣＰＵ４６１は、ステップＳ２２１１において、サブメンテナンスの実行中画面（図１６（ａ）または（ｂ））を表示する。メンテナンスの実行中画面は、サブメンテナンスの項目によって分かれることになり、具体的にはＣＰＵ４６１がサブメンテナンスの実行終了を判断することができるメンテナンス項目に関しては図１６（ａ）の画面を表示し、ＣＰＵ４６１がサブメンテナンスの実行終了を判断することができないメンテナンス項目に関しては図１６（ｂ）の画面を表示する。
【０１２４】
次いで、ＣＰＵ４６１は、ステップＳ２２１２において、メンテナンスが終了したか否かを判定する。上記ステップＳ２２１１において図１６（ｂ）の画面を表示する場合、すなわちＣＰＵ４６１がメンテナンスの実行終了をユーザからの“完了”キーの入力により判断するメンテナンス項目の場合は、図１６（ｂ）の画面においてユーザによって“完了”キーが押下されたときに、メンテナンスの終了と判断する。ここで、メンテナンスが終了していないと判定した場合、ＣＰＵ４６１は、上記ステップＳ２２１１に戻り、メンテナンスが終了したと判定した場合、ＣＰＵ４６１は、上記ステップＳ２２０３に戻り、次のメンテナンス項目があるか否かを判定する。
【０１２５】
次に、ジョブ終了時にメンテナンスを行うようにサブメンテナンス項目がメンテナンス予約項目に登録されている場合の処理について図２２を参照しながら説明する。図２２はサブメンテナンス項目がメンテナンス予約項目に登録されている場合の処理の手順を示すフローチャートである。
【０１２６】
ＣＰＵ４６１は、図２２に示すように、ステップＳ２４０１において、ユーザによって操作表示装置４００のコピースタートキー４０２が押下されるのを待ち、コピースタートキー４０２が押下されたと判定した場合、ステップＳ２４０２において、設定された処理モードに従いジョブを開始する。そして、ＣＰＵ４６１は、ステップＳ２４０３において、ジョブが終了したか否かを判定する。ここで、ジョブが終了していないと判定した場合、ＣＰＵ４６１は、上記ステップＳ２４０２に戻る。これに対し、ジョブが終了したと判定した場合、ＣＰＵ４６１は、ステップＳ２４０４において、メンテナンス予約項目にサブメンテナンス項目が登録されているか否かを判定する。メンテナンス予約項目にサブメンテナンス項目が登録されていないときには、ＣＰＵ４６１は、上記ステップＳ２４０１に戻り、次のジョブを待つ。
【０１２７】
上記ステップＳ２４０４においてメンテナンス予約項目にサブメンテナンス項目が登録されていると判定した場合、すなわち、上記ジョブの実行中において、メンテナンス項目に対するメンテナンスが実施され、このメンテナンス項目に関連するサブメンテナンス項目がメンテナンス予約項目に登録されている場合、ＣＰＵ４６１は、ステップＳ２４０５において、サブメンテナンス項目の入力設定画面（図１６（ｄ））を表示する。そして、ＣＰＵ４６１は、上記入力設定画面上で“ＯＫ”すなわちメンテナンスの実行および入力の実行が選択されるのを待ち、“ＯＫ”が選択されたと判定した場合、ステップＳ２４０７において、サブメンテナンス項目に関してのメンテナンスの実行および入力の実行を行う。そして、ＣＰＵ４６１は、ステップＳ２４０８において、サブメンテナンスの実行中画面（図１６（ａ）または（ｂ））を表示する。メンテナンスの実行中画面は、上述したように、サブメンテナンスの項目によって分かれる。
【０１２８】
次いで、ＣＰＵ４６１は、ステップＳ２４０９において、メンテナンスが終了したか否かを判定する。上記ステップＳ２４０９において図１６（ｂ）の画面を表示する場合、すなわちＣＰＵ４６１がメンテナンスの実行終了をユーザからの“完了”キーの入力により判断するメンテナンス項目の場合は、図１６（ｂ）の画面においてユーザによって“完了”キーが押下されたときに、メンテナンスの終了と判断する。ここで、メンテナンスが終了していないと判定した場合、ＣＰＵ４６１は、上記ステップＳ２４０８に戻り、メンテナンスが終了したと判定した場合、ＣＰＵ４６１は、上記ステップＳ２４０４に戻り、メンテナンス予約項目に次のサブメンテナンス項目があるか否かを判定する。
【０１２９】
このように、本実施形態では、複数のメンテナンス項目と該複数のメンテナンス項目に関連するサブメンテナンス項目とを示すテーブルを保持し、複数のメンテナンス項目の中から選択されたメンテナンス項目のメンテナンスが終了すると、上記テーブルを参照して選択されたメンテナンス項目に関連するサブメンテナンス項目があるか否かを判定し、選択されたメンテナンス項目に関連するサブメンテナンス項目があると、該サブメンテナンス項目を液晶表示部４２０に表示するので、交換や清掃および調整などのメンテナンス項目に対するメンテナンスを実施した後に必要なサブメンテナンス項目に対するメンテナンスの実施忘れを未然に防止することができる。
【０１３０】
また、メンテナンス項目に関連するサブメンテナンス項目はメンテナンス実施順位に応じて階層化されているので、サブメンテナンス項目に対するメンテナンスの実施順位を誤ることはない。
【０１３１】
また、ジョブ実行中においては、メンテナンス項目のメンテナンスに続けてサブメンテナンス項目を実施するか、サブメンテナンス項目をジョブ終了後に実施するかを選択することが可能であるので、状況に応じたメンテナンス作業を行うことが可能になる。また、サブメンテナンス項目をジョブ終了後に実施することを選択した場合でも、このサブメンテナンス項目の入力設定画面がジョブ終了後に表示されるので、サブメンテナンス項目をジョブ終了後に確実に実施することが可能になる。
【０１３２】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【０１３３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【０１３４】
【発明の効果】
以上説明したように、本発明によれば、複数のメンテナンス項目と各メンテナンス項目に関連するサブメンテナンス項目とを示すテーブルを保持し、複数のメンテナンス項目の中から選択されたメンテナンス項目のメンテナンスが終了すると、上記テーブルを参照して選択されたメンテナンス項目に関連するサブメンテナンス項目があるか否かを判定し、選択されたメンテナンス項目に関連するサブメンテナンス項目があると、該サブメンテナンス項目を表示するので、交換や清掃および調整などのメンテナンス項目に対するメンテナンスを実施した後に必要なサブメンテナンス項目に対するメンテナンスの実施忘れを未然に防止することができる。
【図面の簡単な説明】
【図１】本発明の一実施形態に係る画像形成システムの主要部構成を示す縦断面図である。
【図２】図１の画像形成システム全体の制御を司るコントローラの構成を示すブロック図である。
【図３】図１の折り装置５００、製本装置６００、およびフィニッシャ７００の構成を示す図である。
【図４】図２の折り装置制御部の構成を示すブロック図である。
【図５】図２の製本装置制御部の構成を示すブロック図である。
【図６】図２のフィニッシャ制御部の構成を示すブロック図である。
【図７】折り装置５００、製本装置６００、フィニッシャ７００の外装カバーの配置を模式的に示す図である。
【図８】製本装置６００のカバーを開けて対応するモジュールを引き出した状態を模式的に示す斜視図である。
【図９】製本装置６００のカバーを開けて対応するモジュールを引き出した状態を模式的に示す斜視図である。
【図１０】折り装置５００およびフィニッシャ７００のカバーをそれぞれ開けて対応するモジュールを引き出した状態を模式的に示す斜視図である。
【図１１】折り装置５００のカバー５５２のロック機構を模式的に示す図であり、（ａ）はカバー非ロック状態、（ｂ）はカバーロック状態を示す。
【図１２】図１の操作表示装置４００の概観構成を示す図である。
【図１３】図２の操作表示装置制御部４０１の構成を示すブロック図である。
【図１４】（ａ）は操作表示装置４００に表示されるメイン画面例を示す図、（ｂ）は操作表示装置４００に表示されるメニュー選択画面例を示す図、（ｃ）はメンテナンス実行中におけるメイン画面の表示例を示す図である。
【図１５】メンテナンス時の操作画面例を示す図である。
【図１６】メンテナンス時の操作画面例を示す図である。
【図１７】処理モードとして片面画像形成モードでかつソート処理が選択されている場合の各モジュールに対してメンテナンスが可能か否かの状態を表示した画面例を示す図である。
【図１８】メンテナンス項目とそれに関連するサブメンテナンス項目を示すテーブルである。
【図１９】メンテナンス時の操作画面表示処理の手順を示すフローチャートである。
【図２０】メンテナンス時の操作画面表示処理の手順を示すフローチャートである。
【図２１】メンテナンス時の操作画面表示処理の手順を示すフローチャートである。
【図２２】サブメンテナンス項目がメンテナンス予約項目に登録されている場合の処理の手順を示すフローチャートである。
【図２３】図１の画像形成装置本体１０のプリンタ３００に設けられた外装カバーの配置を模式的に示す図である。
【図２４】従来の画像形成装置の主要部構成を示す縦断面図である。
【符号の説明】
１０　画像形成装置本体
１５０　ＣＰＵ回路部
１５１　ＲＯＭ
１５２　ＲＡＭ
３００　プリンタ
３５２，３５３，５５１，５５２，６５１，６５２，６５３，７５１，７５２，７５３　カバー
４００　操作表示装置
４２１　警告用ブザー
４０１　操作表示装置制御部
４６１　ＣＰＵ
５００　折り装置
６００　製本装置
７００　フィニッシャ
【図１】
2004147173.tif 000003
【図２】
2004147173.tif 000004
【図３】
2004147173.tif 000005
【図４】
2004147173.tif 000006
【図５】
2004147173.tif 000007
【図６】
2004147173.tif 000008
【図７】
2004147173.tif 000009
【図８】
2004147173.tif 000010
【図９】
2004147173.tif 000011
【図１０】
2004147173.tif 000012
【図１１】
2004147173.tif 000013
【図１２】
2004147173.tif 000014
【図１３】
2004147173.tif 000015
【図１４】
2004147173.tif 000016
【図１５】
2004147173.tif 000017
【図１６】
2004147173.tif 000018
【図１７】
2004147173.tif 000019
【図１８】
2004147173.tif 000020
【図１９】
2004147173.tif 000021
【図２０】
2004147173.tif 000022
【図２１】
2004147173.tif 000023
【図２２】
2004147173.tif 000024
【図２３】
2004147173.tif 000025
【図２４】
2004147173.tif 000026